(57)【要約】【課題】手指先端の細かい操作に頼ることなく、一つの動作で簡単かつ安全にドア開閉操作を行うことのできる食器洗浄機を提供する。【解決手段】食器洗浄機３０は、前面に開口部を有する箱体状の本体２１と、本体２１の前面開口部２１ａを開閉するため上下２段に配置された下ドア１および上ドア１２とを備えている。下ドア１は、本体２１の開口部の左右側壁２１ｓの下方に設けられたヒンジ部材を中心に傾動することによって開口部の下方領域を開閉し、上ドア１２は閉止状態にある下ドア１の上縁付近の側壁２１ｓに設けられたヒンジ部材を中心に傾動することによって開口部の上方領域を開閉する。ドア取っ手７の平坦面に手を置いて軽く押さえることにより、ドア取っ手７の傾動と、下ドア１あるいは上ドア１２の開放とを連続した一つの動作で行うことができる。【選択図】  図１
2005304955.tif 000002
【特許請求の範囲】
【請求項１】
前面に開口部を有する箱体状の本体と、前記開口部の下辺部を支軸として傾動可能なドアとを備え、前記本体へ収納した食器へ洗浄水を噴射して洗浄する食器洗浄機において、
前記ドアを外プレートと内プレートとを対向配置して形成し、前記ドアに向かって下り勾配をなす平坦面を有するドア取っ手を前記外プレートの外面に水平方向に配置し、前記内プレートの外面に前記開口部の側壁正面に開設された受け穴に係合するフック部を設け、前記ドア取っ手を下方へ傾動させると前記フック部と前記受け穴との係合を解除する伝達機構を前記外プレートと内プレートとの間に設けたことを特徴とする食器洗浄機。
【請求項２】
前記伝達機構は、回動可能に設けられた取っ手ベースと、前記取っ手ベースより上方に回動可能に設けられたフックベースとから構成され、
前記取っ手ベースは、前記ドア取っ手に固定された取っ手支持部と、前記取っ手支持部の支軸よりも内プレート側に形成された回動動作伝達フックとを備え、
前記フックベースに、前記内プレートの内側面から前記受け穴に向かって突出した前記フック部と、前記フック部を前記受け穴に係合する方向に付勢する付勢手段と、前記回動動作伝達フックに係合する回動動作受けフックとを備え、
前記ドア取っ手の傾動により前記動作伝達フックが前記回動動作受けフックを前記外プレート側に引き寄せ、前記フック部を下方に移動させて前記受け穴との係合を解除することを特徴とする請求項１記載の食器洗浄機。
【請求項３】
前記フックベースを、互いに独立して回動可能な複数の部材によって形成したことを特徴とする請求項２記載の食器洗浄機。
【請求項４】
前記伝達機構は、回動可能に設けられた取っ手ベースと、前記取っ手ベースの側方に回動可能に設けられたフックベースとから構成され、
前記取っ手ベースは、前記ドア取っ手に固定された取っ手支持部と、前記取っ手支持部の回動軸よりも内プレート側に形成された回動動作伝達フックとを備え、
前記フックベースに、前記内プレートの内側面から前記受け穴に向かって突出した前記フック部と、前記フック部を前記受け穴に係合する方向に付勢する前記付勢手段と、前記回動動作伝達フックに係合する回動動作受けフックとを備え、
前記ドア取っ手の傾動により、前記回動動作伝達フックが前記回動動作受けフックを前記外プレート側に引き寄せ、前記フック部を横方向に移動させて前記受け穴との係合を解除することを特徴とする請求項１記載の食器洗浄機。
【請求項５】
前記取っ手ベースの周面および端面のそれぞれに回動動作伝達フックを設けたことを特徴とする請求項２〜４のいずれかに記載の食器洗浄機。
【請求項６】
前記ドア取っ手の下面に、前記平坦面と同じ傾斜角度を有する平坦面を形成したことを特徴とする請求項１〜５のいずれかに記載の食器洗浄機。
【請求項７】
前記ドア取っ手の上面と下面を結ぶ面を凸曲面で形成したことを特徴とする請求項６記載の食器洗浄機。
【請求項８】
前記ドア取っ手は、その水平方向の両端において前記伝達機構に連結され、前記ドア取っ手と前記外プレートとの隙間を手指の平均外径より小さくしたことを特徴とする請求項１〜７のいずれかに記載の食器洗浄機。
【発明の詳細な説明】
【技術分野】
【０００１】
本発明は、食器洗浄機に関し、特に、ドアの開閉動作を簡単かつ安全に行うことのできる食器洗浄機に関する。
【背景技術】
【０００２】
食器洗浄機のドア構造については、従来、様々な方式が開発されているが、本願発明に関連する先行技術として、例えば、特許文献１に記載された食器洗浄機および特許文献２に記載された扉ロック装置などがある。
【０００３】
特許文献１に記載された食器洗浄機においては、ドア内プレートとドア外プレートとで構成されるドアと、ドア外プレートの外に露出したドアの閉状態を解除する解除スイッチと、この解除スイッチに連動して回動運動するドアフック部分を有するドアフックベースと、ドアの開閉のために使用者が掴む取っ手とを備えたドア構造が用いられている。
【０００４】
特許文献２記載された扉ロック装置は、ドア外の外面に庇状に設けた手がけ部と、手がけ部内方でピンにより枢支され回動操作されることによってロック片を本体側の係止部に対し係止・係止解除させるレバーなどによって構成されている。
【０００５】
【特許文献１】特開２００３−１４４３７１号公報（第４−１５頁）
【特許文献２】特許第３１５２７９８号公報（第２−４頁）
【発明の開示】
【発明が解決しようとする課題】
【０００６】
特許文献１に記載された食器洗浄機の場合、解除スイッチを押してドアの閉状態を解除し、取っ手部分を掴んでドアを開く動作をする際に、使用者がドアの取っ手とドア外プレートの間に手を挟むことがある。また、解除スイッチを押す動作とドア取っ手を掴んでドアを開く動作の双方が必要となるため、急いでドアを開けたい時などに、手間が掛かることもある。
【０００７】
特許文献２に記載された扉ロック装置においてドアを開く場合、ロック片をつまんで回動することにより係止解除を行い、その後、ドア外の外面に庇状に設けられた手がけ部に手指を掛けて、ドアを手前に引くことになるため、ドアを開ける際に２段階の動作が必要である。また、ドアを開く場合、手指先端でロック片をつまむという、細かい操作も必要であるため、手指が不自由な人などは、手がけ部に手指先端を引掛けたり、ロック片をつまむという動作自体が大きな肉体的負担となっている。
【０００８】
そこで、本発明が解決しようとする課題は、手指先端の細かい操作に頼ることなく、一つの動作で簡単かつ安全にドア開閉操作を行うことのできる食器洗浄機を提供することにある。
【課題を解決するための手段】
【０００９】
請求項１の発明は、前面に開口部を有する箱体状の本体と、前記開口部の下辺部を支軸として傾動可能なドアとを備え、前記本体へ収納した食器へ洗浄水を噴射して洗浄する食器洗浄機において、
前記ドアを外プレートと内プレートとを対向配置して形成し、前記ドアに向かって下り勾配をなす平坦面を有するドア取っ手を前記外プレートの外面に水平方向に配置し、前記内プレートの外面に前記開口部の側壁正面に開設された受け穴に係合するフック部を設け、前記ドア取っ手を下方へ傾動させると前記フック部と前記受け穴との係合を解除する伝達機構を前記外プレートと内プレートとの間に設けたことを特徴とする。
【００１０】
このような構成とすれば、取っ手の平坦面に手を置いて押さえることにより、取っ手の傾動とドアの開放とを連続した動作で行うことができる。しかも、平坦面が斜め上方に突出しているため、ドアの開放操作時における手からの力の伝達面を広く確保することができ、ドアの開放動作を簡単に行うことができる。すなわち、手指先端の細かい操作に頼ることなく、一つの動作で簡単かつ安全にドア開閉操作を行うことができる。
【００１１】
請求項２の発明は、前記伝達機構は、回動可能に設けられた取っ手ベースと、前記取っ手ベースより上方に回動可能に設けられたフックベースとから構成され、
前記取っ手ベースは、前記ドア取っ手に固定された取っ手支持部と、前記取っ手支持部の支軸よりも内プレート側に形成された回動動作伝達フックとを備え、
前記フックベースに、前記内プレートの内側面から前記受け穴に向かって突出した前記フック部と、前記フック部を前記受け穴に係合する方向に付勢する付勢手段と、前記回動動作伝達フックに係合する回動動作受けフックとを備え、
前記ドア取っ手の傾動により前記動作伝達フックが前記回動動作受けフックを前記外プレート側に引き寄せ、前記フック部を下方に移動させて前記受け穴との係合を解除することを特徴とする。
【００１２】
このように、フック部を下方に移動させて受け穴との係合を解除する構成とすれば、ロック時にはフック部が上方に付勢された状態となる結果、洗浄運転中にドアが温水により熱膨張しても係合が強固になるので、フック部と受け穴との係合が外れることを防止できる。
【００１３】
請求項３の発明は、前記フックベースを、互いに独立して回動可能な複数の部材によって形成したことを特徴とする。このような構成とすれば、洗浄運転中、温水によりフックベースが回動軸線方向に熱膨張しても、フックベースのフックが形成されていない側に逃げを有するため、受け穴よりも大きく外側にフックが移動するのを防止することが可能となり、受け穴に対するフック部の位置を適正に保持することができる。
【００１４】
請求項４の発明は、前記伝達機構は、回動可能に設けられた取っ手ベースと、前記取っ手ベースの側方に回動可能に設けられたフックベースとから構成され、
前記取っ手ベースは、前記ドア取っ手に固定された取っ手支持部と、前記取っ手支持部の回動軸よりも内プレート側に形成された回動動作伝達フックとを備え、
前記フックベースに、前記内プレートの内側面から前記受け穴に向かって突出した前記フック部と、前記フック部を前記受け穴に係合する方向に付勢する前記付勢手段と、前記回動動作伝達フックに係合する回動動作受けフックとを備え、
前記ドア取っ手の傾動により、前記回動動作伝達フックが前記回動動作受けフックを前記外プレート側に引き寄せ、前記フック部を横方向に移動させて前記受け穴との係合を解除することを特徴とする。
【００１５】
このような構成とすれば、フック部を横方向に移動させることにより前記受け穴との係合を解除することが可能となるため、例えば、本体の開口部の天井壁正面に受け穴を形成し、これに対応する位置にフック部を配置することで、フック部を一箇所とすることが可能となる。このため、本体の開口部の左右側壁正面にそれぞれフック部を形成する場合に比べて構成を簡単にすることができる。
【００１６】
請求項５の発明は、前記取っ手ベースの周面および端面のそれぞれに回動動作伝達フックを設けたことを特徴とする。このような構成とすれば、一つの取っ手ベースによって、フックを下方向に移動させる場合と横方向に移動させる場合の両方に対応させることができるため、部材の共通化を図ることができる。
【００１７】
請求項６の発明は、前記ドア取っ手の下面に、前記平坦面と同じ傾斜角度を有する平坦面を形成したことを特徴とする。このような構成とすれば、ドアを閉じるときに力を加えやすくなるため、閉止操作がさらに簡単になる。
【００１８】
請求項７の発明は、前記ドア取っ手の上面と下面を結ぶ面を凸曲面で形成したことを特徴とする。このような構成とすれば、水が溜まりにくくなるため、水分の残留に起因する汚れの付着を防止することができる。
【００１９】
請求項８の発明は、前記ドア取っ手は、水平方向の両端において前記伝達機構に連結され、前記ドア取っ手と前記外プレートとの隙間を手指の平均外径より小さくしたことを特徴とする。隙間としては、手の指先が入り込まない６ｍｍ以下とする。このような構成とすれば、前記ドア取っ手と前記外プレートとの隙間に誤って指を挟むことを防止することができる。
【発明の効果】
【００２０】
前面に開口部を有する箱体状の本体と、前記開口部の下辺部を支軸として傾動可能なドアとを備えた食器洗浄機において、
前記ドアを外プレートと内プレートとを対向配置して形成し、前記ドアに向かって下り勾配をなす平坦面を有するドア取っ手を前記外プレートの外面に水平方向に配置し、前記内プレートの外面に前記開口部の側壁正面に開設された受け穴に着脱可能に係合するフック部を設け、前記ドア取っ手を下方へ傾動させると前記フック部と前記受け穴との係合を解除する伝達機構を前記外プレートと内プレートとの間に設けたことにより、手指先端の細かい操作に頼ることなく、一つの動作で簡単かつ安全にドア開閉操作を行うことができるようになる。
【発明を実施するための最良の形態】
【００２１】
以下、本発明の実施の形態である食器洗浄機について説明する。図１は実施の形態である食器洗浄機を示す斜視図、図２は前記食器洗浄機をドア開放状態で示す斜視図、図３および図４は前記食器洗浄機を構成する下ドアの内部構造を示す斜視図、図５は前記食器洗浄機を構成する下ドアの一部を示す断面斜視図、図６は前記食器洗浄機を構成する下ドアの側面図、図７は前記下ドアの内部構造を示す部分断面図である。
【００２２】
図１，図２に示すように、本実施形態の食器洗浄機３０は、前面に開口部２１ａを有する箱体状の本体２１と、本体２１の開口部２１ａを開閉するため上下２段に配置された下ドア１および上ドア１２とを備えている。下ドア１は、本体２１の開口部２１ａの下辺に設けられたヒンジ部材３６を中心に傾動することによって開口部２１ａの下方領域を開閉し、上ドア１２は閉止状態にある下ドア１の上縁付近の開口部２１ａの左右側壁に設けられたヒンジ部材３３を中心に傾動することによって開口部２１ａの上方領域を開閉する。
【００２３】
前述したように、食器洗浄機３０においては、本体２１の正面開口部２１ａを開閉する下ドア１、上ドア１２は、それぞれの下辺を、ヒンジ部材３３，３６を回動中心として、傾動する構造となっている。この場合、下ドア１の左右両端に設けられた下ドアフック部８が、本体２１の開口部２１ａの左右側壁２１ｓ正面に設けられた下ドアフック受け穴２２に係合し、上ドア１２の上縁中央部分に設けられた上ドアフック部１６が、開口部２１ａの天井壁２１ｃの正面中央に設けられた上ドアフック受け穴２３に係合することによって、下ドア１および上ドア１２は閉状態を保持することができる構造となっている。
【００２４】
図３〜図７に示すように、下ドア１は、下ドア外プレート２と下ドア内プレート３とを対向配置して形成され、水平姿勢をなすドア取っ手７が下ドア外プレート２の外面に配置されている。ドア取っ手７は、手動操作する際に外力が加わる部分である操作部２０と、その左右両端に連接された取付け部１９とで構成されている。操作部２０の上面には、下ドア１に向かって下り勾配をなす平坦面２４が形成され、操作部２０の下面には、前述の平坦面２４と平行な平坦面２５が設けられている。下ドア１の下ドア内プレート３の外面の左右上端付近には、開口部２１ａの左右側壁２１ｓの正面に開設された下ドアフック受け穴２２にそれぞれ着脱可能に係合する下ドアフック部８が設けられている。
【００２５】
また、下ドア１の外面に設けられたドア取っ手７を下方へ傾動させることにより、下ドアフック部８を、下ドアフック部８と下ドアフック受け穴２２との係合を解除する方向へ作動させる伝達機構３７が、下ドア外プレート２と下ドア内プレート３との間に設けられている。そして、ドア取っ手７の両端に位置する取付け部１９が、後述するドア取っ手ベース５のドア取っ手支持部１１に固定されている。
【００２６】
図３，図４に示すように、伝達機構３７は下ドア１の左右上方部分に内蔵されており、これらの伝達機構３７はそれぞれ、下ドア内プレート３の内面に突設されたリブ３８に回動可能に軸支されたシャフト形状のドア取っ手ベース５と、このドア取っ手ベース５より上方位置に、リブ３９を介して回動可能に軸支されたシャフト形状の下ドアフックベース４とで構成されている。ドア取っ手ベース５は、ドア取っ手７の取付け部１９がネジ止め固定されたドア取っ手支持部１１と、このドア取っ手ベース５のリブ３８により軸支された回動軸心よりも下ドア内プレート３側に形成された下ドア回動動作伝達フック１０とを備えている。
【００２７】
下ドア外プレート２はＡＢＳ樹脂によってされており、その外側表面にステンレス板を貼り付けることにより高級感を醸し出している。また、食器洗浄時に洗剤を含有した温水の晒される下ドアのプレートはＰＰ（ポリプロピレン樹脂）により成型されており、洗剤に対する耐薬品性を確保している。なお、伝達機構３７におけるドア取っ手ベース５や下ドアフックベース４は、耐疲労性や耐磨耗性に優れたＰＯＭ（ポリアセタール樹脂）によって成型されており、下ドア１の開閉に伴う回動動作における耐久性を確保している。
【００２８】
図３に示すように、下ドアフックベース４の端部には、下ドア内プレート３の左右上端付近内面から下ドア受け穴２２に向かって突出した下ドアフック部８が形成され、これらの下ドアフック部８を下ドアフック受け穴２２に係合する方向に付勢する付勢手段としてロックバネ６が設けられている。下ドアフックベース４には、下ドア回動動作伝達フック１０に係合する下ドア回動動作受けフック９が設けられている。また、図４に示すように、ドア取っ手ベース５の下方には、ドア取っ手支持部１１を介してドア取っ手７を開放操作時の押圧方向と反対方向に付勢するロックバネ６ａが設けられている。
【００２９】
下ドア１が閉止状態にあるとき、ロックバネ６によって下ドアフック部８は下ドア受け穴２２に係合する方向に付勢されているため、確実な閉止状態を保つことができる。また、ロックバネ６ａにより、ドア取っ手７は開放操作時の押圧方向と反対方向に付勢されているため、押圧力を解除したときの復元性が良好である。さらに、ロックバネ６ａを設けたことにより、伝達機構３７を構成する下ドアフックベース４およびドア取っ手ベース５などの部材相互間の機械的遊びに起因するドア取っ手７のガタツキを防止することができる。
【００３０】
図６（ａ）に示すように、ドア取っ手７の平坦面２４を手動操作で押圧してドア取っ手７を矢線２８方向に傾動させると、下ドア回動動作伝達フック１０が下ドア回動動作受けフック９を下ドア外プレート２側へ引き寄せ、下ドアフックベース４が回動し、図６（ｂ）に示すように、下ドアフック部８が下方に移動して、下ドアフック部８と下ドアフック受け穴２２との係合が解除されるので、下ドア１がヒンジ部材３６を中心に傾動して開放される。また、矢線２８の方向は、下ドア１の傾動方向とほぼ一致しているので、ドア取っ手７の平坦面２４を手動操作で軽く押圧するだけで、下ドアフック部８と下ドアフック受け穴２２との係合解除および下ドア１の開放操作を行うことができる。
【００３１】
すなわち、ドア取っ手７の平坦面２４に手を置いて軽く押さえることにより、ドア取っ手７の傾動と下ドア１の開放とを連続した動作で行うことができる。しかも、平坦面２４が斜め上方に突出しているため、下ドア１の開放操作時における手からの力の伝達面を広く確保することができ、下ドア１の開放動作を簡単に行うことができる。すなわち、手指先端の細かい操作に頼ることなく、一つの動作で簡単かつ安全に下ドア１の開閉操作を行うことができる。
【００３２】
また、下ドアフック部８を下方に移動させて下ドアフック受け穴２２との係合を解除する構成としているため、ロック時には下ドアフック部８が上方に付勢された状態となる結果、洗浄運転中、下ドア１が温水により熱膨張しても係合が強固になるので、下ドアフック部８と受け穴２２との係合が外れることを防止できる。
【００３３】
さらに、ドア取っ手ベース５、下ドアフックベース４は互いに独立して回動可能な複数の部材によって形成されているため、洗浄運転中、温水によりドア取っ手ベース５、下ドアフックベース４が回動軸線方向に熱膨張しても、フックが形成されていない側に逃げることで、下ドアフック受け穴２２よりも大きく外側に下ドアフック部８が移動するのを防止することができ、下ドアフック受け穴２２に対する下ドアフック部８の位置を適正に保持することができる。また、ドア取っ手ベース５および下ドアフックベース４を下ドア１の左右２箇所に配置したことにより、ドア取っ手７を操作する際の安定性も良好である。
【００３４】
また、図６に示すように、ドア取っ手７の下面には、平坦面２４と同じ傾斜角度を有する平坦面２５を形成しているため、ドアを閉じるときに力を加えやすくなるため、閉止操作がさらに簡単になる。
【００３５】
さらに、ドア取っ手７は、取付け部１９を亜鉛ダイキャストにニッケルクロムメッキを施したものとし、操作部２０は軽量なアルミニウムを押し出し成型したものにアルマイト処理を施して形成している。そのため、ドア取っ手７はメタルタッチの表面となり、高級感を与えることができる一方で、ドア取っ手７の自重によってドア取っ手ベース５に作用するモーメント力を小さくすることができ、ロックバネ６，６ａの付勢力を小さく設計することができ、不必要にコストが上ることを防いでいる。また、ドア取っ手７と下ドア外プレート２との隙間２６は、一般人の手指の平均外径よりも小さな６ｍｍに設定しているため、使用者がドア開閉動作を行っているときに誤って手指を挟むこともない。
【００３６】
なお、ドア取っ手ベース５には、位置の違う２箇所にドア回動伝達フック、すなわち、下ドア回動動作伝達フック１０が配置されているため、ドアフックが下ドア１の左右両端付近にあっても、対応することができ、部品点数の削減を図ることができる。また、本実施形態の食器洗浄機３０においては、ドア取っ手７の平坦面２４，２５を結ぶ面を凸曲面にしているので、ドア取っ手７の上面に汚れや水分が滞留するのを防ぐことができる。
【００３７】
次に、図８，図９を参照して、食器洗浄機３０を構成する上ドア１２の開閉機能について説明する。図８は図１に示す食器洗浄機を構成する上ドアの内部構造を示す斜視図であり、図９は図８の一部拡大図である。
【００３８】
図８，図９に示すように、上ドア１２についても上ドア外プレート１３（図１参照）と上ドア内プレート１４との間に伝達機構４０が配置されている。伝達機構４０は、上ドア内プレート１４の内面に形成されたリブ４１に回動可能に軸支されたシャフト形状のドア取っ手ベース５と、取っ手ベース５の側方において当該取っ手ベース５と直角方向をなす姿勢でリブ４２に回動可能に軸支された短いシャフト形状の上ドアフックベース１５とから構成されている。ドア取っ手ベース５は、ドア取っ手７の取付け部１９がネジ止め固定されたドア取っ手支持部１１と、このドア取っ手ベース５のリブ４１により軸支された回動軸心よりも上ドア内プレート１４側であって、ドア取っ手ベース５の軸心方向端面に形成された上ドア回動動作伝達フック１８とを備えている。
【００３９】
上ドアフックベース１５には、上ドア内プレート１４の内側から上ドア受け穴２３（図２参照）に向かって突出した上ドアフック部１６と、上ドアフック部１６を上ドアフック受け穴２３に係合する方向に付勢するロックバネ６と、上ドア回動動作伝達フック１８に係合する上ドア回動動作受けフック１７とを備えている。
【００４０】
図６に示す下ドア１の開放操作と同様、上ドア１２のドア取っ手７を下方へ傾動させると、ドア取っ手支持部１１を介してドア取っ手ベース５が回動し、これによって上ドア回動動作伝達フック１８が上ドア回動動作受けフック１７を上ドア外プレート１３側（図１参照）に引き寄せるため、フックベース１５が回動し、上ドアフック部１６を横方向（図９の矢線４３方向）に移動させて、上ドアフック受け穴２３（図２参照）との係合を解除する。
【００４１】
このように、ドア取っ手７を下方へ傾動させると、伝達機構４０によって上ドアフック部１６が矢線４３方向に移動して上ドアフック受け穴２３との係合を解除することができるため、本実施形態のように、本体２１の開口部２１ａの天井壁２１ｃの正面中央に上ドアフック受け穴２３を形成し、これに対応する位置にフック部１６を配置すれば、フック部１６を一箇所とすることができる。このため、本体２１の開口部２１ａの左右側壁２１ｓの正面にそれぞれフック部を形成する場合に比べて構成を簡単にすることができる。
【００４２】
また、ドア取っ手ベース５の周面および端面のそれぞれに回動動作伝達フック１８，１０を設けているため、一つのドア取っ手ベース５によって、下ドアフック部８を下方向に移動させる下ドア１に使用する場合と、上ドアフック部１６を横方向に移動させる上ドア１２に使用する場合の両方に対応させることができるため、下ドア１と上ドア１２との間で部材の共通化を図ることができる。
【００４３】
さらに、上ドア１２においては、ドア取っ手７の右側の取付け部１９が伝達機構４０を作動させるようになっているが、上ドアフック部１６の操作と直接関連していない取っ手７の右側の取付け部１９ａにも、ドア取っ手ベース５の半分程度の長さのドア取っ手ベース５ａを連結している。このような構成とすることにより、ドア取っ手７のどの部分を押圧した場合でも安定した開放操作を行うことができる。
【００４４】
次に、図１０を参照して、上ドア１２が閉止状態にあるときの付勢機構について説明する。図１０は食器洗浄機３０を構成する洗浄槽３１を示す右側面図である。図１０に示すように、洗浄槽３１の右側面３１ａに垂直方向の固定プレート３２を付設し、この固定プレート３２と上ドア１２（図示せず）のヒンジ部材３３との間に引張力を付与するためのバネ３４を配置している。バネ３４はヒンジ部材３３を閉止方向に付勢するため、上ドア１２（図示せず）を閉止状態に保つことができる。なお、固定プレート３２およびバネ３４からなる付勢機構は洗浄槽３１の左側面にも同様に配置されている。
【００４５】
また、固定プレート３２を洗浄槽３１の側面に付設することにより、比較的薄い金属板（厚さ０．３ｍｍ程度）で形成された洗浄槽３１の剛性が大幅に高まるので、食器洗浄機３０の耐久性向上に有効である。
【産業上の利用可能性】
【００４６】
本発明の食器洗浄機は、一般家庭の台所の流し台の上などに設置して広く使用することができる。
【図面の簡単な説明】
【００４７】
【図１】本発明の実施の形態である食器洗浄機を示す斜視図である。
【図２】図１に示す食器洗浄機をドア開放状態で示す斜視図である。
【図３】図１に示す食器洗浄機を構成する下ドアの内部構造を示す斜視図である。
【図４】図１に示す食器洗浄機を構成する下ドアの内部構造を示す斜視図である。
【図５】図１に示す食器洗浄機を構成する下ドアの一部を示す断面斜視図である。
【図６】図１に示す食器洗浄機を構成する下ドアの側面図である。
【図７】図６に示す下ドアの内部構造を示す部分断面図である。
【図８】図１に示す食器洗浄機を構成する上ドアの内部構造を示す斜視図である。
【図９】図７の一部拡大図である。
【図１０】洗浄槽を示す右側面図である。
【符号の説明】
【００４８】
１  下ドア
２  下ドア外プレート
３  下ドア内プレート
４  下ドアフックベース
５，５ａ  ドア取っ手ベース
６，６ａ  ロックバネ
７  ドア取っ手
８  下ドアフック部
９  下ドア回動動作受けフック
１０  下ドア回動動作伝達フック
１１  ドア取っ手支持部
１２  上ドア
１３  上ドア外プレート
１４  上ドア内プレート
１５  上ドアフックベース
１６  上ドアフック部
１７  上ドア回動動作受けフック
１８  上ドア回動動作伝達フック
１９，１９ａ  取付け部
２０  操作部
２１  本体
２１ａ  開口部
２１ｃ  天井壁
２１ｓ  側壁
２２  下ドアフック受け穴
２３  上ドアフック受け穴
２４，２５  平坦面
２６  隙間
２８，４３  矢線
３０  食器洗浄機
３１  洗浄槽
３１ａ  側面
３２  固定プレート
３３，３６  ヒンジ部材
３４  バネ
３７，４０伝達機構
３８，３９，４１，４２  リブ
【図１】
2005304955.tif 000003
【図２】
2005304955.tif 000004
【図３】
2005304955.tif 000005
【図４】
2005304955.tif 000006
【図５】
2005304955.tif 000007
【図６】
2005304955.tif 000008
【図７】
2005304955.tif 000009
【図８】
2005304955.tif 000010
【図９】
2005304955.tif 000011
【図１０】
2005304955.tif 000012